(57)【要約】      （修正有）【課題】簡単な構造で調整し易い便器洗浄器出水構造を提供する。【解決手段】便器洗浄出水構造は、出水ヘッド、調整部および固定板を含み、該出水ヘッド上に主出水部および副出水部を設けてなり、該出水ヘッド上に主出水部と相互に連通する主入水口および副出水部と相互に連通する副入水口を設ける。該調整部は、主入水口と副入水口に対応し、２つの接続端を設けてなり、該接続端は、球形を呈し、主入水口と副入水口に被覆し、出水ヘッドに角度調整の効果を持たせ、該調整部は、該２つの接続端のもう一端に２つの被覆端を設け、該被覆端は、水管を組み付けることに用い、同一の出水ヘッドで異なる部位の洗浄効果を提供できる。該定位板は、結合部を設けてなり、便器に組み付けることができ、該定位板は、溝を設けてなり、該溝内に溝に沿って移動可能な調整ブロックを設け、該出水ヘッドは、調整ブロックと結合し、出水ヘッドに溝に沿って移動し、位置調整効果を持たせる。【選択図】図１
0003137350.tif 000002
【実用新案登録請求の範囲】
【請求項１】
便器洗浄器出水構造であって、その本体は、出水ヘッド、調整部および固定板を含み、該出水ヘッド上に主出水部および副出水部を設けてなり、該出水ヘッド上に主出水部と相互に連通する主入水口および副出水部と相互に連通する副入水口を設けてなり、同一の出水ヘッドで異なる部位の洗浄効果を提供する便器洗浄器出水構造。
【請求項２】
前記本体は、更に調整部を含み、該調整部は、主入水口と副入水口に対応して、２つの接続端を設けてなり、該接続端は球形を呈し、主入水口と副入水口に被覆でき、出水ヘッドに角度調整の効果を持たせてなる請求項１記載の便器洗浄器出水構造。
【請求項３】
前記調整部は、該２つの接続端のもう一端に２つの被覆端を設け、該被覆端は、水管を組み付けることに用いる請求項１記載の便器洗浄器出水構造。
【請求項４】
前記主出水部または副出水部は複数の出水口を設けてなる請求項１記載の便器洗浄器出水構造。
【請求項５】
前記本体が更に、定位板を含み、該定位板が結合部を有し、便器に組み込ませ、該定位板が溝を設けてなり、該溝内に溝に沿って移動可能な調整ブロックを設けてなり、該出水ヘッドは調整ブロックと結合し、出水ヘッドが溝に沿って移動し位置調整の効果を有する請求項１記載の便器洗浄器出水構造。
【請求項６】
前記定位板底部に蓋板を設けてなる請求項１記載の便器洗浄器出水構造。
前記殻体が上殻と下殻を含む請求項１記載の便器洗浄器制御スイッチ。
【請求項７】
前記調整ブロック上に嵌合溝を設けてなり、該出水ヘッドは、水管を接続し、該水管は、該嵌合溝中に位置し、結合連動する請求項１記載の便器洗浄器制御スイッチ。
【考案の詳細な説明】
【技術分野】
【０００１】
本考案は、便器洗浄器出水構造に関し、特に、２つの出水部、角度調整および左右横移動機能を有し、異なる出水部を整合し、出水位置を調整できる出水口構造に関する。
【背景技術】
【０００２】
ウォシュレット便器は、便器上に設ける自動洗浄装置の便器設備を指し、制御スイッチによって水柱噴出を制御し、水柱によって洗浄しトイレットペーパーで拭くことにより起こる細菌感染または摩擦で腫れる等の疾患、傷の痛みを回避することができ、このように、より良好な洗浄効果を達成することができるだけなく、紙の浪費を節省し、不要な傷病の発生を避けることができる。
【０００３】
従来の便器洗浄器の出水構造は、中華民国専利出願番号０９２２１８３０７号、「ウォシュレット便座の可調節式洗浄器」において、該従来の構造は、単一出水口だけを有するが、生理構造の異なる男性および女性に対して、単一の出水口の設計は、効率的な洗浄の目的を達成することができず、実用的に確実に不便なところがある。ある業者は、２つの出水管にそれぞれ出水路を設ける設計を採用しているが、この種の設計方式は、該出水管が設計上面倒であるだけでなく、且つ調整上、分けて調整する必要があり、使用者およびメーカーにとって不便である。上記から分かるように、従来の構造は、単一の出水口だけを有するか、または２つの出水管によって２つの出水口に合わせるかによらず、いずれも適用性が悪い、または構造が複雑で面倒であり、改良の必要がある。
【０００４】
中華民国専利出願番号０９２２０５６５２号、「ウォシュレット便座の噴出ヘッド」において、該出水口の噴出ヘッドは、１つの固定片で便器上に螺合または釘合しており、便器上に定位孔を設ける必要があるだけでなく、便器本体の構造を破壊し、施工過程が比較的面倒である。また、従来の便器洗浄器構造は、中華民国専利出願第０９２２１８３０７号、「ウォシュレット便座の可調整式洗浄器」において、この種の出水ヘッド上にラッチ体を設置し、該ラッチ体によって出水ヘッドおよび便器を結合する方式であり、組み立ては比較的容易であるが、出水ヘッドの位置の左右調整の機能を有しておらず、全ての状況、便器形態の違いに合わせて、調整することができず、使用上に不便があり、且つ完全に洗浄の効果を発揮できない。上記から分かるように、従来の噴出ヘッドの固定方式はいずれも複雑であり、且つ調整の効果を有しておらず、改良の必要がある。
【特許文献１】中華民国専利出願第０９２２０５６５２号明細書
【特許文献２】中華民国専利出願第０９２２１８３０７号明細書
【考案の開示】
【考案が解決しようとする課題】
【０００５】
本発明の目的は、従来の便器洗浄器出水口像が単一出水口のみを有し、または構造が複雑で調整が不便である欠陥を克服する便器洗浄器出水構造を提供することである。本発明のもう１つの目的は、従来の便器洗浄器が位置調整が困難であり、完全に洗浄効果を発揮できない欠陥を克服する便利洗浄器出水口造を提供することである。
【課題を解決するための手段】
【０００６】
前記の発明の目的を達成する為、本発明は、出水ヘッド、調整部および固定板を含み、該出水ヘッド上に主出水部および副出水部を設けてなり、該出水ヘッド上に主出水部と相互に連通する主入水口および副出水部と相互に連通する副入水口を設けてなる。該調整部は、主入水口と副入水口に対応し、２つの接続端を設けてなり、該接続端は、球形を呈し、主入水口と副入水口に被覆し、出水ヘッドに角度調整の効果を持たせ、該調整部は、該２つの接続端のもう一端に２つの被覆端を設け、該被覆端は、水管を組み付けることに用い、同一の出水ヘッドで異なる部位の洗浄効果を提供することができる。該定位板は、結合部を設けてなり、便器に組み付けることができ、該定位板は、溝を設けてなり、該溝内に溝に沿って移動可能な調整ブロックを設け、該出水ヘッドは、調整ブロックと結合し、出水ヘッドに溝に沿って移動し、位置調整の効果を持たせることができる。
【考案の効果】
【０００７】
上記から分かるように、本発明の出水ヘッドは、異なる部位に対して洗浄のできる主出水部と副出水部を整合し、使用者に異なる部位の洗浄効果を提供し、このように、衛星上、さらに理想的であるだけではなく、さらに該整合された出水ヘッドが製品のコストを減少し、また、該本端の出水ヘッドが調整部によって角度調整の効果を有し、使用者が必要に応じて最適な角度を調整でき、確実に洗浄の目的を達成することができ、更に、該調整ブロックの設置によって、定位板の溝に沿って自由に移動し、各種の異なる形態の便器および異なる使用者の要求に対し迅速に調整でき、出水ヘッドの位置および出水口水柱が洗浄する部位を更に確実にし、有する洗浄効果を完全に発揮でき、したがって、本発明は、実用性および進歩性を有する発明であり、産業界に推薦し、社会大衆に公開するに値する。
【考案を実施するための最良の形態】
【０００８】
本発明は、便器出水構造に関し、図１〜図５に示すように、この種の便器洗浄器の出水構造の本体１は、出水ヘッド１０、調整部２０、水管３０および定位板４０を含み、該定位板４０は便器と組み合わせることができ、出水ヘッド１０を設置させ、且つ該出水ヘッド１０は調整部２０を介して水管３０に接続し、制御を受けて水柱を噴出することができ、そのうち、該出水ヘッド１０は、扁平ブロック体状を呈し、その比較的広い一端面上に主出水部１１および副出水部１２を設けてなり、本実施例中、該主出水部１１は１つの出水口１３を設けてなり、副出水部１２は３つの出水口１３を設けてなる構造として記載するが、これに限定するものではなく、状況に応じて、該主出水部１１、副出水部１２の出水口１３の数量は増減できる。
【０００９】
該出水ヘッド１０は主出水部１１、副出水部１２の端面に主入水口１４および副入水口１５を設けてなり、該主入水口１４は、主出水部１１の出水口１３と相互に連通し、該副入水口１５は副出水部１２の出水口１３と相互に連通し、該主入水口１４、副入水口１５は、調整部２０を組み付けさせることに用いる。
【００１０】
該調整部２０は、２つの接続端２１を有し、且つ該接続端２１は球形を呈し、前端は貫通孔２２（貫通孔は図２の断面図に示す）を設けてなり、該接続端２１は、主入水口１４およぶ副入水口１５に被覆することができ、貫通孔２２が水流を通過させ、且つ球形を呈する接続端２１が出水ヘッド１０に角度調整の回転を提供することができる。
【００１１】
該調整部２０は、２つの接続端２１のもう１つの端に対応して２つの被覆端２１とし、且つ該２つの被覆端２３は、それぞれ該２つの接続端２１と相互に連通し、該２つの被覆端２３は、水管３０に被覆接続し、したがって、水流が経過する管道を保持することができる。
【００１２】
本発明は、２つの水管３０をそれぞれ本体１の調整部２０の２つの被覆端２３に接続し、該２つの被覆端２３は、それぞれ２つの接続端２１と相互に連通し、該２つの接続端２１は、前端の貫通孔２２と主入水口１４、副入水口１５と接続し、該主入水口１４、副入水口１５は、それぞれ、水流を主出水部１１および副出水口１２の出水口１３に導き、出水ヘッド１０が２つの洗浄部位を提供できる効果を達成する。
【００１３】
該定位板４０は、蓋体状を呈し、定位板４０上に制御スイッチ４１を組み込み、定位板４０内に１組の水管路４２を設け、該制御スイッチ４１は、水管路４２を水源の開放制御として用い、該水管路４２は弾性を備え、水管３０と接続し、水流を通過させることができる。該定位板４０の一端に、結合部４３を設け、該結合部４３は、便器上に組み付けることに用いる。該定位板４０は、結合部４３のもう１つの端に対応して細長い形状の溝４４を設けてなり、該溝４４の両側壁面に開口４４１を設けてなる。
【００１４】
該定位板４０底部に蓋板４５を設けてなり、該蓋板４５は、定位板４０の形状に対応し、該定位板４０を密閉でき、定位板４０内部の部材に位置決め設置する。
【００１５】
該定位板４０溝４４内に調整ブロック４６を設けてなり、それは、細長い形状のブロック体を呈し、その長さは溝４４よりやや短く、該溝４４内に収容でき、溝４４に沿って左右に横移動し、且つ該調整ブロック４６が溝４４の開口４４１に対応する箇所に嵌合溝４６１を設けてなり、該嵌合溝４６１は水管３０を嵌合させ、出水ヘッド１０を調整ブロック４６と連動させる。
【００１６】
本発明の出水ヘッド１０の左右調整の説明は、図６、図７に示すように、使用者が出水ヘッド１０の位置を調整しようとする時、分解する必要がなく、直接調整でき、工具を用いて操作する必要がない。
【００１７】
図６に示すように、該出水ヘッド１０を比較的左よりの位置に調整する時、該出水ヘッド１０を直接移動でき、出水ヘッド１０を水管４２によって調整ブロック４６を連動させ、該調整ブロック４６は溝４４に沿って左端向きに移動し、該水管路４２は、弾性を備えることによって、わずかに変形でき、出水ヘッド２０の位置を調整できる。
【００１８】
該出水ヘッド１０を右向きに調整する時、使用者は出水ヘッド１０を直接移動し、該出水ヘッドを適切な洗浄位置に移動させ、洗浄効果を完全に発揮させることができる。
【００１９】
本発明の出水ヘッド１０の角度調整は、図８、図９に示すように、該出水ヘッド１０が便器内の所定の位置に設置される時、水柱噴出洗浄の効果を発揮でき、該出水ヘッド１０は、調整部２０の球形の接続端２１の設計によって出水ヘッド１０の角度調整の効果を備え、且つ該出水ヘッド１０に主出水部１１および副出水部１２を有し、使用者の異なる部分の洗浄要求に対し、異なる出水口１３から水柱を噴出させ、確実に洗浄の目的を達成する。
【図面の簡単な説明】
【００２０】
【図１】本考案の便器洗浄器出水構造局部の立体分解図である。
【図２】本発明の便器洗浄器の出水構造の局部立体断面図である。
【図３】本発明の便器洗浄器の出水構造の立体分解図である。
【図４】本発明の便器洗浄器の出水構造の定位板の他の角度から見た説明図である。
【図５】本発明の便器洗浄器の出水構造の組み付け完成説明図である。
【図６】本発明の便器洗浄器の出水構造の出水ヘッドの左右調整の説明図である。
【図７】本発明の便器洗浄器の出水構造の出水ヘッドの左右調整の説明図である。
【図８】本発明の便器洗浄器の出水構造の出水ヘッドの角度調整説明図である。
【図９】本発明の便器洗浄器の出水構造の出水ヘッドの角度調整説明図である。
【符号の説明】
【００２１】
１  本体
１０  出水ヘッド
１１  主出水部
１２  副出水部
１３  出水口
１４  主入水口
１５  副入水口
２０  調整部
２１  接続端
２２  貫通孔
２３  被覆端
３０  水管
４０  定位板
４１  制御スイッチ
４２  水管路
４３  結合部
４４  溝
４４１  開口
４５  蓋板
４６  調整ブロック
４６１  嵌合溝
【図１】
0003137350.tif 000003
【図２】
0003137350.tif 000004
【図３】
0003137350.tif 000005
【図４】
0003137350.tif 000006
【図５】
0003137350.tif 000007
【図６】
0003137350.tif 000008
【図７】
0003137350.tif 000009
【図８】
0003137350.tif 000010
【図９】
0003137350.tif 000011